(57)【要約】  【課題】  調整の手間を低減できる筬保持部材を提供する。  【解決手段】  筬保持部材１０は、板状のベース１１と、ベース１１の下端から下方向に伸び出すガイド部１２Ｌ，１２Ｒと、からなる。ガイド部１２Ｌ，１２Ｒは、前後方向に並ぶように配置されており、その間隔は、下側から上側に向かって漸次細くなるように形成されている。ガイド部１２Ｌ，１２Ｒにおける互いに対向する面には、ローラ１３Ｌ，１３Ｒが配置されている。  この筬保持部材１０では、筬４０の反りになどよってガイドピン４１が上方向に移動すると、ガイドピン４１にローラ１３Ｌ，１３Ｒが上方向から当接する。そして反りの度合が大きくなりガイドピン４１の上方向に向かう力が強くなると、ガイドピン４１とローラ１３Ｌ，１３Ｒとの当接する領域が上方向に移動する。【選択図】図４
2010164634.tif 000002
【特許請求の範囲】
【請求項１】
左右方向へ移動可能に棚板上に配置される筬の左右両端部から突出した突出部材に対して上方向から当接することで、前記突出部材の上方向への移動を抑制するグランドピアノの筬保持部材であって、
前記突出部材に上方向から当接可能であって、前記突出部材が加える上方向の力の強さに応じて上方向に移動する当接部を有する
ことを特徴とする筬保持部材。
【請求項２】
前記当接部は、弾性変形により上方向に移動可能である
ことを特徴とする請求項１に記載の筬保持部材。
【請求項３】
下側から上側に向かって漸次細くなる間隔をもって並べて配置され、弾性変形により前記間隔が拡がるように構成された一対のガイド部を備え、
前記当接部とは、前記突出部材が前記一対のガイド部の間を上方向に移動した状態において、前記一対のガイド部と当接する部分である
ことを特徴とする請求項１または請求項２に記載の筬保持部材。
【請求項４】
前記一対のガイド部にローラを備え、
前記当接部は、前記ローラの円周面における前記一対のガイド部と当接する部分である
ことを特徴とする請求項３に記載の筬保持部材。
【請求項５】
弾性部材を介して上方向に移動可能に取り付けられる接触部材を備え、
前記当接部とは、前記接触部材における下端面である
ことを特徴とする請求項１または請求項２に記載の筬保持部材。
【請求項６】
前記接触部材における前記下端面にローラを備え、
前記当接部は、前記ローラの円周面である
ことを特徴とする請求項５に記載の筬保持部材。
【発明の詳細な説明】
【技術分野】
【０００１】
本発明は、棚板上に配置される筬の左右両端部から突出した突出部材に対して上方向から当接することで、突出部材の上方向への移動を抑制するグランドピアノの筬保持部材に関する。
【背景技術】
【０００２】
グランドピアノでは一般に、図１１に示すように、鍵盤や打鍵機構を載置する筬１０１が、棚板１０２上にて左右方向へ移動可能に設けられている。この筬１０１の左右方向への移動は、図示しないソフトペダルを操作することによって実現するように構成されており、筬１０１が移動すると、打鍵機構のハンマーが上方の弦を打弦する位置が若干ずれることで、ピアノの音色を変化させる効果が得られるようになっている。
【０００３】
棚板１０２の左右の端部には拍子木１０３が設けられており、拍子木１０３には筬１０１の左右両端部から突出した突出部材１０４を保持する筬保持部材１０５が取り付けられている。
【０００４】
グランドピアノの拍子木１０３に取り付けられる筬保持部材１０５の一例を図１２に示す。筬保持部材１０５は、図１２における前後両側に突出する上下の腕部を有する井桁状の本体１０６と、筬保持部材１０５に上下方向に移動可能に取り付けられた押さえピース１０７と、筬保持部材１０５に上下方向に延びるように形成されたねじ孔１０８にねじ込まれた調整ねじ１０９と、を備えている。
【０００５】
なお、この図１２は、図１１における左側の拍子木１０３および筬保持部材１０５を示しているが、これらは右側にも左右対称に同様に設けられている。
【０００６】
筬保持部材１０５を拍子木１０３に取り付けた状態の断面図を図１３に示す。筬１０１の突出部材１０４は、押さえピース１０７の下端部に当接しているか、または少しの間隔をもって配置されている。
【０００７】
ところで、上述した筬１０１は、湿度などの環境変化や経年変化などに起因して反りが発生すると、図１４に示すように、左右の突出部材１０４が上方に移動する。これにより突出部材１０４が押さえピース１０７と強く接触してしまうと、突出部材１０４と押さえピース１０７との間の摩擦力が大きくなってソフトペダルの操作に伴う筬１０１の左右方向の移動がスムーズに行われず、音色の調整ができなくなるという問題があった。
【０００８】
その問題を解決するために、押さえピース１０７を予め突出部材１０４から十分離れた高さに設定しておくと、筬１０１が反ってもその移動が妨げられることはなくなる。しかし、筬１０１に反りが生じると、筬１０１が棚板１０２から浮き上がってがたつきが生じやすくなるため、そのような場合には押さえピース１０７を突出部材１０４に当接させて、筬１０１の反りや筬１０１のがたつきを抑制することが必要となる。よって、筬１０１の反りによるがたつきを抑制するためには、予め押さえピース１０７を高い位置に設定するなどして突出部材１０４と押さえピース１０７との間に大きな間隔を設けることは望ましくない。
【０００９】
よって、従来の筬保持部材では、筬１０１に反りが発生した場合には、調整ねじ１０９を回転させて押さえピース１０７の高さを調整することで、押さえピース１０７と突出部材１０４との間の圧力を調整し、ソフトペダルの操作に伴う筬１０１の移動具合を調整するとともに、筬１０１の棚板１０２からの浮き上がりによるがたつきを抑制する必要があった。
【００１０】
ところで従来の拍子木１０３は、図１３に示すように、鍵盤１１０と隣接して配置されているため、そのままでは拍子木１０３と鍵盤１１０との間にドライバーが入るスペースがない。よって、調整ねじ１０９を回転させて押さえピース１０７の高さを調整する際には、拍子木１０３を棚板１０２に取り付けるための蝶ねじを外して一旦拍子木１０３をばらしたり、鍵盤１１０を外してドライバーを斜めに差し込んだりする必要があった。
【００１１】
そのような問題を解決するために、拍子木を２つのブロックで構成し、調整ねじの頭部を露出できる拍子木が提案されている（特許文献１参照）。この拍子木によると、拍子木や鍵盤を取り外すことなく調整ねじの調整が可能となる。
【先行技術文献】
【特許文献】
【００１２】
【特許文献１】実公平２−４１６７５号公報
【発明の概要】
【発明が解決しようとする課題】
【００１３】
しかしながら、上記拍子木では、調整ねじを調整する際には拍子木を２つのブロック分解する必要があるため、その手間が掛かるという問題がある。
【００１４】
また、調整ねじにより押さえピースを介してガイドピンを直接的に押圧しているため、調整ねじの回転量に対して押さえピースのガイドピンに対する押さえ力が比較的大きく変化する。このため、押さえピースとガイドピンとの間の圧力調整が難しいという問題があった。
【００１５】
本発明は、上述した問題に鑑みてなされたものであり、その目的は、調整の手間を低減できる筬保持部材を提供することである。
【課題を解決するための手段】
【００１６】
上述した問題を解決するためになされた請求項１に記載の発明は、左右方向へ移動可能に棚板上に配置される筬の左右両端部から突出した突出部材に対して上方向から当接することで、上記突出部材の上方向への移動を抑制するグランドピアノの筬保持部材であって、上記突出部材に上方向から当接可能であって、上記突出部材が加える上方向の力の強さに応じて上方向に移動する当接部を有することを特徴とする。
【００１７】
このように構成された筬保持部材であれば、筬が反ることにより筬の左右両端部の突出部材が上方に移動したときに、その力に応じて当接部が上方向に移動するため、当接部の高さをユーザが自ら調整しなくとも、突出部材と当接部との間の圧力上昇に伴って摩擦力が高くなりすぎることが抑制できる。
【００１８】
また、筬に反りが生じて上方向への力が加えられると、その力に応じて当接部は上方向へ移動するが、筬に反りが生じておらず、突出部材が上方向に移動していないときには、上方向への力が生じないため、当接部は上方向へ移動しない。つまり、当接部と突出部材との間隔が開きすぎることが抑制できる。
【００１９】
よって、上記筬保持部材であれば、調整ねじなどの調整を行わなくとも、突出部材と当接部との間の摩擦力が高くなりすぎることに伴って左右の移動が妨げられることと、棚板から浮き上がってがたつきが発生することを抑制できるため、調整の手間を低減することができる。
【００２０】
なお、ここでいう当接部とは、筬保持部材において突出部材に上方向から当接する部分であり、当接部が上方向に移動するときには、筬保持部材上にてその位置が変化する場合と変化しない場合とが考えられる。変化する場合とは、例えば、当接部が筬保持部材上を滑るように上方向に移動していく場合であり、変化しない場合とは、例えば、突出部材と筬保持部材の少なくとも一部の領域とが、所定の位置（当接部）で接触したままいずれも上方向に移動する場合である。
【００２１】
また、ここでいう突出部材は、筬の左右両端部から突出するように配置されており、当接部と当接可能であれば、その具体的な形状は特に限定されない。例えば円柱状、角柱状、板状、などの形状とすることが考えられる。
【００２２】
ところで、上述した当接部は、請求項２に記載の筬保持部材のように、弾性変形により上方向に移動可能に構成してもよい。
【００２３】
このように構成された筬保持部材であれば、弾性変形を利用することにより、突出部材が上方向に移動した際の当接部の上方向への移動を実現できる。また弾性力による反力が当接部を介して突出部材に加えられるため、突出部材は下方向への力を受けることとなり、筬の棚板からの浮き上がりによるがたつきを好適に抑制することができるようになる。
【００２４】
なお、筬保持部材における弾性変形を行う箇所は特に限定されない。例えば当接部となる部分を有する部材それ自体が弾性変形する構成であってもよいし、その部材とは別に当接部の移動に伴って変形する弾性部材を備える構成であってもよい。
【００２５】
請求項３に記載の発明は、請求項１または請求項２に記載の筬保持部材であって、下側から上側に向かって漸次細くなる間隔をもって並べて配置され、弾性変形により上記間隔が拡がるように構成された一対のガイド部を備えている。この筬保持部材において、上記当接部とは、上記突出部材が上記一対のガイド部の間を上方向に移動した状態において、上記一対のガイド部と当接する部分である。
【００２６】
このように構成された筬保持部材では、一対のガイド部の間を突出部材が上方向に移動すると、ガイド部同士の間隔が狭くなるため、突出部材がガイド部と接触することとなる。そして突出部材の上方向に向かう力が強くなると、一対のガイド部をその間隔が広くなるように押し広げつつ上方向に移動する。
【００２７】
よって上記構成の筬保持部材では、突出部材が上方向に移動したときに、突出部材と当接するガイド部上の領域（当接部）が上方向に移動するので、突出部材と当接部との間の圧力上昇に伴って摩擦力が高くなりすぎることを抑制でき、従来のように当接部の高さを調整する操作を行なわなくとも、筬の左右方向の移動が妨げられる虞を低減できる。
【００２８】
また、突出部材が上方向に移動すると、ガイド部の弾性力により、突出部材は下方向への力が加えられる。そのため、筬の棚板からの浮き上がりによるがたつきをより好適に抑制することができる。
【００２９】
ところで、上記構成の筬保持部材において、突出部材が上方向に移動すると当接部が上方向に移動するため突出部材と当接部との間の圧力は高くなりにくいが、突出部材が上方向に加える力が非常に強くなると、当接部との間の圧力上昇に伴って突出部材と当接部との間の摩擦力も増大し、筬が左右方向に移動するために必要な力も大きくなる。
【００３０】
この摩擦力を小さくするためには、例えば、当接部となりうる対象や突出部材に摩擦力の小さい材質を用いることや、当接部となりうる対象および突出部材の表面形状を摩擦力の発生しにくい形状とすることが考えられる。
【００３１】
また、上述した方法以外には、請求項４に記載の筬保持部材のように、上記一対のガイド部にローラを備えることとしてもよい。この場合、上記当接部は、上記ローラの円周面における一対のガイド部と当接する部分となる。
【００３２】
このように構成された筬保持部材であれば、上述した突出部材と当接部とが接触している状態において、それらの間に働く摩擦力を低減できる。よって、突出部材と当接部との間の圧力は高くなっても、筬を左右に移動させるために大きな力を必要とせずスムーズに移動させることができる。
【００３３】
請求項５に記載の発明は、請求項１または請求項２に記載の筬保持部材であって、弾性部材を介して上方向に移動可能に取り付けられる接触部材を備えている。この筬保持部材において、上記当接部は、上記接触部材における下端面である。
【００３４】
このように構成された筬保持部材では、突出部材が上方向に移動すると、接触部材が押し上げられて上方向に移動する。同時に、弾性部材の弾性力により接触部材に下方向への力が加えられ、そのため突出部材は接触部材から下方向の力が加えられる。
【００３５】
よって上記構成の筬保持部材では、突出部材が上方向に移動したときに、接触部材が上方向に移動するので、突出部材と接触部材の下端面との間の圧力が高くなりすぎることを抑制でき、従来のように当接部の高さを調整する操作を行なわなくとも、筬の左右方向の移動が妨げられる虞を低減できる。また、弾性部材の弾性力により下方向への力を受けるため、筬の棚板からの浮き上がりによるがたつきをより好適に抑制することができるようになる。
【００３６】
また、請求項５に記載の筬保持部材においても、請求項６に記載の筬保持部材のように、上記接触部材における上記下端面にローラを備えることとしてもよい。この場合、上記当接部は、上記ローラの円周面となる。
【００３７】
このように構成された筬保持部材であれば、請求項４に記載の筬保持部材と同様に、筬を左右に移動させるために大きな力を必要とせずスムーズに移動させることができる。
【図面の簡単な説明】
【００３８】
【図１】筬保持部材の構成を示す斜視図
【図２】グランドピアノの内部構成を示す斜視図
【図３】筬保持部材を拍子木に取り付けた状態を示す斜視図
【図４】筬保持部材の動作を示す側面図
【図５】筬保持部材の構成を示す斜視図
【図６】グランドピアノの内部構成を示す斜視図
【図７】筬保持部材を拍子木に取り付けた状態を示す斜視図
【図８】筬保持部材にストッパを取り付けた状態を示す斜視図
【図９】筬保持部材の動作を示す斜視図
【図１０】筬保持部材の変形例を示す斜視図
【図１１】従来のグランドピアノの内部構成を示す斜視図
【図１２】従来の筬保持部材の構成を示す斜視図
【図１３】従来の筬保持部材を配置した状態を示す断面図
【図１４】筬の変形を示す側面図
【発明を実施するための形態】
【００３９】
以下に本発明の実施形態を図面と共に説明する。
［実施例１］
（１）筬保持部材の構成
本実施例の筬保持部材１０は、図１に示すように、ベース１１と、一対のガイド部１２Ｌ，１２Ｒと、ローラ１３Ｌ，１３Ｒと、からなる。
【００４０】
ベース１１は、前後上下方向（図１における前後および上下方向）に拡がる板状の部材である。このベース１１は、前後両端部から中央に向かってねじ溝１４が形成されており、後述する拍子木３０に対してねじ溝１４を介してねじを通すことで拍子木３０に固定される。
【００４１】
ガイド部１２Ｌ，１２Ｒは、ベース１１の下端から下方向に伸び出す柱状の部材であって、前後方向に並ぶように配置されており、その間隔は、下側から上側に向かって漸次細くなるように形成されている。なお、ベース１１には、ガイド部１２Ｌ，１２Ｒの間の間隔から繋がるようにベース１１の中央まで到達する溝が形成されている。
【００４２】
ローラ１３Ｌ，１３Ｒは、ガイド部１２Ｌ，１２Ｒにおける互いに対向する面であって、後述するガイドピン４１が当接しうる領域に配置されている。このローラ１３Ｌ，１３Ｒは、ガイド部１２Ｌ，１２Ｒが伸びる方向に沿った回転軸を有しており、その回転軸を中心に回転可能に取り付けられている。
【００４３】
なお、筬保持部材１０のベース１１とガイド部１２Ｌ，１２Ｒは、剛性および弾性に富んだ材質（一例として、ばね鋼材など）によって構成されている。
（２）筬保持部材の設置態様
上述した構成の筬保持部材１０は、図２に示すように、グランドピアノに水平に取り付けられる棚板２０上に配置される拍子木３０に取り付けて用いられる。また、棚板２０には、筬４０が図示しないソフトペダルの操作に応じて左右方向に移動可能に取り付けられており、拍子木３０は筬４０の左右両側に配置されている。
【００４４】
筬４０は、格子状をなしており、この筬４０の上側には、図示しない鍵盤や打鍵機構が載置されている。筬４０の前方の左右両端には、それぞれ左右方向に突出するガイドピン４１が配置されている。また筬４０の後方は、鍵盤くわえ４２によって係止されている。
【００４５】
筬保持部材１０が拍子木３０に取り付けられた状態を図３に示す。この図３は、図２における左側の拍子木３０および筬保持部材１０を右方向から見た図を示しているが、これらは右側にも左右対称に同様に設けられている。
【００４６】
拍子木３０の側面（図３における手前側の面）には、凹部３１が形成されている。筬保持部材１０は、ねじ溝１４を介してねじ３２を拍子木３０に取り付けることで凹部３１内に固定されている。
【００４７】
そして、拍子木３０および筬４０が棚板２０に設置された状態では、ガイド部１２Ｌ，１２Ｒの間の領域１５にガイドピン４１が挿入される。本実施例においては、筬４０に反りがない状態では、ローラ１３Ｌ，１３Ｒとガイドピン４１との間には少しの間隔が取られるように配置されているが、ローラ１３Ｌ，１３Ｒとガイドピン４１とが接触するように配置される構成であってもよい。
（３）作用・効果
本発明の筬保持部材１０の作用および効果を、図４（ａ）、（ｂ）を用いて説明する。この筬保持部材１０は、棚板２０に配置された拍子木３０に取り付けられた状態を示している。
【００４８】
上記構成の筬保持部材１０では、筬４０の反りになどよってガイドピン４１が上方向に移動すると、図４（ａ）に示すように、ガイドピン４１にローラ１３Ｌ，１３Ｒの円周面が斜め上方向から当接する。そして反りの度合が大きくなりガイドピン４１の上方向に向かう力が強くなると、弾性変形するガイド部１２Ｌ，１２Ｒを、それらの間隔を広げる方向（図４（ｂ）におけるＡ方向）に押し広げながら上方向に移動するため、ガイドピン４１とローラ１３Ｌ，１３Ｒとの当接する領域が上方向に移動し、図４（ｂ）に示すような状態となる。
【００４９】
そのため、ガイドピン４１がローラ１３Ｌ，１３Ｒと強く接触して圧力が高くなりすぎることを抑制でき、それにより摩擦力が大きくなることを抑制できるため、筬４０の左右方向への移動が妨げられることがなくなる。よって、筬４０の反り具合の変化に合わせて、ガイドピン４１を押さえる部材（例えば図１２における押さえピース１０７）の高さを調整する必要がなくなる。
【００５０】
また、上記ガイド部１２Ｌ，１２Ｒの間隔が広がると、ベース１１およびガイド部１２Ｌ，１２Ｒの弾性によってその間隔を細くする方向（図４（ｂ）におけるＢ方向）に反力が発生する。ガイド部１２Ｌ，１２Ｒの間隔は下方向が広くなるように形成されているため、ガイドピン４１は下方向へ押されることとなる。
【００５１】
これにより、筬４０の棚板２０からの浮き上がりによるがたつきを好適に抑制することができるようになる。
【００５２】
また、上記筬保持部材１０において、ガイドピン４１はローラ１３Ｌ，１３Ｒと当接しているため、筬４０の反りが大きくなり、ガイドピン４１が押し上げる力が大きくなっても、ローラ１３Ｌ，１３Ｒが回転することにより、ガイドピン４１とローラ１３Ｌ，１３Ｒとの間に働く摩擦力を抑制できる。よって、筬４０の反りが大きくなったとしても、筬４０を左右に移動させるために大きな力が必要とならない。
（４）変形例
以上、本発明の実施例について説明したが、本発明は、上記実施例に何ら限定されることはなく、本発明の技術的範囲に属する限り種々の形態をとり得ることはいうまでもない。
【００５３】
例えば、ローラ１３Ｌ，１３Ｒを配置せず、ガイドピン４１とガイド部１２Ｌ，１２Ｒとが直接当接するように構成してもよい。その際には、ガイドピン４１とガイド部１２Ｌ，１２Ｒとの間の摩擦力が小さくなるように構成するとよい。例えば、ガイド部１２Ｌ，１２Ｒの対向する面を曲面状に形成して、ガイドピン４１との接触面を小さくすることで摩擦力を小さくすることが考えられる。
［実施例２］
（１）筬保持部材の構成
図５（ａ）は本実施例の筬保持部材５０の分解図であり、図５（ｂ）は筬保持部材５０の組み付け図である。筬保持部材５０は、ベース５１と、コイルバネ５２と、接触部材５３と、からなる。
【００５４】
ベース５１は、図５における前後上下方向（図５（ａ），（ｂ）における前後および上下方向）に拡がる板状の部材であって、前後両端部から中央に向かってねじ溝５４が形成されており、後述する拍子木７０に対してねじ溝５４を介してねじ７２を通すことで拍子木７０に固定される。
【００５５】
また、ベース５１の下端部中央には上方向に向かう略矩形の溝部５５が形成されている。また、ベース５１における溝部５５の上端を形成する側面と、ベース５１の上端の側面と、を上下方向に貫通するように貫通孔５６が形成されている。
【００５６】
接触部材５３は、押さえピース５７と、支持棒５８と、からなる。
【００５７】
押さえピース５７は、前後の両側面において上下方向に形成された縦溝５９が形成されてなる箱形の部材であって、ベース５１における溝部５５を形成する周縁部のうち、前後の周縁部周辺と所定の間隔をもって嵌合する。
【００５８】
支持棒５８は、押さえピース５７から伸び出す円柱状の部材である。この支持棒５８は貫通孔５６に挿入可能に形成されており、上記縦溝５９がベース５１と嵌合した状態で貫通孔５６に挿入されている（図５（ｂ）参照）。このとき、接触部材５３は、ベース５１に対して上下方向に移動可能となっている。
【００５９】
コイルバネ５２は、その円筒形の内部を支持棒５８が貫通した状態で、溝部５５の上端を形成する側面と押さえピース５７との間に配置される。
（２）筬保持部材の設置態様
上述した構成の筬保持部材５０は、図６に示すように、グランドピアノに水平に取り付けられる棚板２０上に配置される拍子木７０に取り付けられて用いられる。棚板２０および筬４０の構成は、実施例１と同様である。
【００６０】
筬保持部材５０が拍子木７０に取り付けられた状態を図７に示す。拍子木７０の側面（図７における手前側の面）には、凹部７１が形成されており、筬保持部材５０はこの凹部７１の内側に配置される。筬保持部材５０におけるベース５１は、ねじ７２によって凹部７１内に固定される。
【００６１】
そして、拍子木７０および筬４０が棚板２０に設置された状態では、押さえピース５７の下方向の領域６０にガイドピン４１が挿入されており、ガイドピン４１と押さえピース５７の下端面とが当接する。
【００６２】
なお、本実施例では押さえピース５７の下方向への移動を制限する部材はないため、押さえピース５７はガイドピン４１と常時接触する構成となっているが、図８に示すように、支持棒５８の貫通孔５６から突出した部分や溝部５５にストッパ６１，６２を取り付け、所定の高さより下側に押さえピース５７が移動しないように構成してもよい。
（３）作用・効果
本発明の筬保持部材５０の作用および効果を、図９を用いて説明する。この図９における筬保持部材５０は、棚板２０に配置された拍子木７０に取り付けられた状態を示している。
【００６３】
このように構成された筬保持部材５０では、筬４０の反りになどよってガイドピン４１が上方向に移動すると、ガイドピン４１に押さえピース５７の下端面が上方向から当接する。そして反りの度合によってガイドピン４１の上方向に向かう力が強くなると、図９に示すように、コイルバネ５２が弾性変形して縮み、押さえピース５７が上方向に移動する。
【００６４】
そのため、ガイドピン４１が押さえピース５７と強く接触して圧力が高くなりすぎることを抑制できるため、実施例１の筬保持部材１０と同様に、筬４０の反り具合の変化に合わせてガイドピン４１を押さえる部材の高さを調整する必要がなくなる。
【００６５】
また、押さえピース５７を押し上げると、コイルバネ５２の弾性力によって押さえピース５７を押し下げる方向に反力が発生するため、ガイドピン４１はその弾性力により下方向への力が加えられる。
【００６６】
これにより、実施例１の筬保持部材１０と同様に、筬４０の棚板２０からの浮き上がりによるがたつきを適切に抑制することができるようになる。
（４）変形例
以上、本発明の実施例について説明したが、本発明は上記実施例に何ら限定されることはなく、本発明の技術的範囲に属する限り種々の形態をとり得ることはいうまでもない。
【００６７】
例えば、上記実施例においては、ガイドピン４１は押さえピース５７と直接当接する構成を例示したが、図１０に示すように、押さえピース５７の下端面に、図１０における前後方向を回転軸とするローラ６３を備える構成としてもよい。このように構成された筬保持部材５０であれば、ガイドピン４１が押さえピース５７を押し上げる力が大きくなっても、ガイドピン４１が左右方向に移動するとローラ６３が回転するため、ガイドピン４１と押さえピース５７との間に働く摩擦力を抑制できる。よって、筬４０の反りが大きくなったとしても、筬４０を左右に移動させるために大きな力が必要とならない。
【００６８】
また、コイルバネ５２とは異なる弾性部材を用いて筬保持部材５０を構成してもよいし、弾性部材を用いず、例えば押さえピース５７に錘を取り付け、その錘の重力により下方向への力を発生するように構成してもよい。
【符号の説明】
【００６９】
１０…筬保持部材、１１…ベース、１２Ｌ，１２Ｒ…ガイド部、１３Ｌ，１３Ｒ…ローラ、１４…ねじ溝、１５…領域、２０…棚板、３０…拍子木、３１…凹部、３２…ねじ、４０…筬、４１…ガイドピン、５０…筬保持部材、５１…ベース、５２…コイルバネ、５３…接触部材、５４…ねじ溝、５５…溝部、５６…貫通孔、５７…押さえピース、５８…支持棒、５９…縦溝、６０…領域、６１，６２…ストッパ、６３…ローラ、７０…拍子木、７１…凹部、１０１…筬、１０２…棚板、１０３…拍子木、１０４…突出部材、１０５…筬保持部材、１０６…本体、１０７…押さえピース、１０８…孔、１０９…調整ねじ、１１０…鍵盤
【図１】
2010164634.tif 000003
【図２】
2010164634.tif 000004
【図３】
2010164634.tif 000005
【図４】
2010164634.tif 000006
【図５】
2010164634.tif 000007
【図６】
2010164634.tif 000008
【図７】
2010164634.tif 000009
【図８】
2010164634.tif 000010
【図９】
2010164634.tif 000011
【図１０】
2010164634.tif 000012
【図１１】
2010164634.tif 000013
【図１２】
2010164634.tif 000014
【図１４】
2010164634.tif 000015
【図１３】
2010164634.tif 000016